(57)【要約】【課題】システム時刻が修正された場合において、親局から子局へ、既に送信済みの通報内容情報が再送されるという課題を解決する。【解決手段】親局と子局とを無線により接続した無線通信システムを、親局が、前記親局記憶部に記憶された通報日時情報と前記時計部が生成するシステム日時情報とに基づき、前記親局記憶部に記憶された通報内容情報を子局への通報内容情報である子局通報情報として設定し、前記子局通報情報として設定された通報内容情報が子局へ通報済みであるか否かを判断し、子局へ通報済みでない場合は、前記子局通報情報を自動的に親局送受信部へ送出するとともに、該子局通報情報として設定された通報内容情報が通報済みであることを記録し、子局へ通報済みである場合は、前記子局通報情報を親局送受信部へ送出しないようにし、子局が、親局から子局通報情報として送信された通報内容情報を表示するように構成する。【選択図】図１
2011124762.tif 000002
【特許請求の範囲】
【請求項１】
親局から受信した通報内容情報を出力可能な子局と、無線により子局と接続される親局とを備えた無線通信システムであって、
親局は、子局へ通報する通報内容情報と通報日時情報とを記憶する親局記憶部と、通報内容情報を子局へ送信する親局送受信部と、当該無線通信システムで用いるシステム日時情報を生成する時計部と、親局制御部とを備え、
該親局制御部は、自動送出部と、通報済判断部と、通報済記録部とを備え、
前記自動送出部が、前記親局記憶部に記憶された通報日時情報と前記時計部が生成するシステム日時情報とに基づき、前記親局記憶部に記憶された通報内容情報を子局への通報内容情報である子局通報情報として設定し、前記通報済判断部が、前記子局通報情報として設定された通報内容情報が子局へ通報済みであるか否かを判断し、子局へ通報済みでない場合は、前記自動送出部が、前記子局通報情報を自動的に親局送受信部へ送出するとともに、前記通報済記録部が、該子局通報情報として設定された通報内容情報が通報済みであることを記録し、子局へ通報済みである場合は、前記自動送出部が、前記子局通報情報を親局送受信部へ送出しないものであり、
前記子局は、親局から子局通報情報として送信された通報内容情報を受信する子局送受信部と、該受信した通報内容情報に基づき表示信号を作成する子局制御部と、該作成した表示信号を表示する表示部とを備え、親局から送信された通報内容情報を表示することを特徴とする無線通信システム。
【発明の詳細な説明】
【技術分野】
【０００１】
本発明は、無線通信システムに関し、特に、市町村単位に設置される同報系の地域防災無線システム等における自動通報の繰り返し通報防止を図った無線通信システムに関するものである。
【背景技術】
【０００２】
従来の無線通信システムにおける情報の伝達方法として、例えば、市町村防災デジタル無線通信システムが知られている。下記の特許文献１には、市町村単位に設置される地域防災無線システム等において、統制局が無線端末局からの測定情報を受信すると、該測定情報を放送局へ送信し、放送局が受信した測定情報を記憶するとともに放送用の情報に加工して放送するようにした無線通信システムが記載されている。市町村防災デジタル無線通信システムにおいては、親局から、屋外に設置された子局（屋外局）や個別受信機の子局に対し、自動通報が行われている。自動通報とは、設定された期間（毎日、指定の曜日等）内において、設定された開始時刻になると、設定された通報対象である子局に対し、自動的に所定の通報（番組）を行う機能である。
上記の従来の無線通信システムにおいては、システム時刻を有しており、このシステム時刻に基づいて、前記設定された開始時刻になると、自動的に所定の通報を行うようにしている。また、自動通報を行う際に、対象とする通報内容情報が既に送信済みのものか否かの判断を行っていない。そのため、システム時刻が修正され、既に送信済み通報内容情報の開始時刻よりも前の時刻に戻された場合、再び、開始時刻になると、既に送信済みにも拘らず、再度、同じ内容の通報内容情報を送信することになる。
【０００３】
図４は、従来の自動通報処理のシーケンスの１例を示す図である。図４において、４１は、システム時刻修正前の時間軸、４２は、通報開始を指定する通報開始時刻、４３は、自動通報される通報内容情報である。また、４４は、システム時刻修正後の時間軸、４５は、通報開始を指定する通報開始時刻、４６は、自動通報される通報内容情報である。図４の例では、システム時刻修正前の時間軸４１において、通報開始時刻４２である１１時３０分に、自動通報４３が行われた後、１２時過ぎに、システム時刻が１１時に修正されている。そうすると、システム時刻修正後の時間軸４４において、通報開始時刻４５である１１時３０分になると、自動通報４３と同一内容の自動通報４６が再送されることになる。
【先行技術文献】
【特許文献】
【０００４】
【特許文献１】特開２００９-３３５７８公報
【発明の概要】
【発明が解決しようとする課題】
【０００５】
上述したように、本来、再送されることのない通報内容情報が再送されると、親局と子局間で無駄な通信処理を行うことになるばかりでなく、親局から送信され子局に表示される重要な通報内容情報を見逃し易くなるという課題があった。
【０００６】
本発明は、このような従来の課題を解決するために為されたもので、システム時刻が修正された場合においても、親局から子局へ、既に送信済みの通報内容情報が再送されることを防止することのできる無線通信システムを提供することを目的とする。
【課題を解決するための手段】
【０００７】
上記課題を解決するため、本願発明では、無線通信システムを次のような構成とした。すなわち、
親局から受信した通報内容情報を出力可能な子局と、無線により子局と接続される親局とを備えた無線通信システムであって、
親局は、子局へ通報する通報内容情報と通報日時情報とを記憶する親局記憶部と、通報内容情報を子局へ送信する親局送受信部と、当該無線通信システムで用いるシステム日時情報を生成する時計部と、親局制御部とを備え、
該親局制御部は、自動送出部と、通報済判断部と、通報済記録部とを備え、
前記自動送出部が、前記親局記憶部に記憶された通報日時情報と前記時計部が生成するシステム日時情報とに基づき、前記親局記憶部に記憶された通報内容情報を子局への通報内容情報である子局通報情報として設定し、前記通報済判断部が、前記子局通報情報として設定された通報内容情報が子局へ通報済みであるか否かを判断し、子局へ通報済みでない場合は、前記自動送出部が、前記子局通報情報を自動的に親局送受信部へ送出するとともに、前記通報済記録部が、該子局通報情報として設定された通報内容情報が通報済みであることを記録し、子局へ通報済みである場合は、前記自動送出部が、前記子局通報情報を親局送受信部へ送出しないものであり、
前記子局は、親局から子局通報情報として送信された通報内容情報を受信する子局送受信部と、該受信した通報内容情報に基づき表示信号を作成する子局制御部と、該作成した表示信号を表示する表示部とを備え、親局から送信された通報内容情報を表示することを特徴とする無線通信システム。
【発明の効果】
【０００８】
本願発明によれば、システム時刻の修正により時刻が戻された場合も、親局から子局へ通報済みである通報内容情報を、誤って再送することを防止することができる。
【図面の簡単な説明】
【０００９】
【図１】本発明の実施例に係る無線通信システムの構成例を示す図である。
【図２】本発明の実施例に係る親局記憶部の通報情報テーブルの構成例を示す図である。
【図３】本発明の実施例に係る自動通報処理のシーケンスの１例を示す図である。
【図４】従来の自動通報処理のシーケンスの１例を示す図である。
【発明を実施するための形態】
【００１０】
本発明の実施形態の一例である無線通信システムについて、図１を参照しながら説明する。図１は、本発明の実施例に係る無線通信システム、例えば、市町村防災行政無線システムの構成例を示す図である。
本例の無線通信システムは、図１に示すように、親局１０と子局２０とを有する。子局２０は、屋外局、あるいは個別受信機であり、図１では１つだけ記載しているが、複数存在することができる。親局１０は、親局１０の動作全体を制御する親局制御部１１と、後述する記憶部１５と、親局１０からの操作等を行う入出力装置としての操作卓１６と、本システムで用いるシステム日時情報を生成する時計部１７と、子局２０との間の送受信を行う親局送受信部１８とを備えている。
【００１１】
親局制御部１１は、自動送出部１２と、通報済判断部１３と、通報済記録部１４とを備えている。自動送出部１２は、親局記憶部１５に記憶された通報日時情報と前記時計部１７が生成するシステム日時情報とに基づき、親局記憶部１５に記憶された通報内容情報を、子局２０への通報内容情報である子局通報情報として設定し、該子局通報情報を自動的に親局送受信部１８へ送出する。通報済記録部１４は、前記子局通報情報が子局２０へ通報されたときに、子局通報情報として設定された通報内容情報が通報済みであることを親局記憶部１５に記録する。例えば、通報済記録部１４は、子局２０へ最後に通報を行った年月日である最終通報日を、通報が完了した時点で、親局記憶部１５に格納する。通報済判断部１３は、前記子局通報情報が親局送受信部１８へ送出される際に、子局通報情報として設定された通報内容情報が子局２０へ通報済みであるか否かを、通報済記録部１４の記録に基づき判断する。例えば、通報済判断部１３は、親局記憶部１５に格納された前記最終通報日と、システム日時情報とを比較し、システム日時情報の日付が最終通報日を超える場合（システム日時情報の日付が最終通報日よりも先である場合）は、子局通報情報として設定された通報内容情報を子局２０へ通報済みでないと判断する。また、システム日時情報の日付が最終通報日を超えない場合（システム日時情報の日付が最終通報日と同じ場合を含む）は、子局通報情報として設定された通報内容情報を子局２０へ通報済みであると判断する。
【００１２】
通報済判断部１３が、子局通報情報として設定された通報内容情報を子局２０へ通報済みでないと判断した場合は、自動送出部１２は、前記子局通報情報を親局送受信部１８へ送出する。親局送受信部１８は、該子局通報情報を子局２０へ無線送信する。また、通報済判断部１３が、子局通報情報として設定された通報内容情報を子局２０へ通報済みであると判断した場合は、自動送出部１２は、前記子局通報情報を親局送受信部１８へ送出しない。したがって、子局通報情報として設定された通報内容情報は、子局２０へ無線送信されない。
【００１３】
親局制御部１２は、ハードウエア構成としては、ＣＰＵ（Central  Processing  Unit）と親局制御部１２の動作プログラム等を格納するメモリを備えており、ＣＰＵは、この動作プログラムに従って動作する。親局１０は、通常、防災センター、市役所あるいは町村役場といった行政当局の建物内に設置されている。
【００１４】
子局２０は、親局１０から子局通報情報として送信された通報内容情報を受信する子局送受信部２１と、子局２０の動作全体を制御するとともに、親局１０から受信した通報内容情報に基づき表示信号を作成する子局制御部２２と、子局制御部２２から出力される表示信号を表示する表示部２３とを備えている。ここで、表示には、視覚による表示だけでなく、音声等の聴覚による表示も含まれる。
【００１５】
親局記憶部１５について、図２を用いて説明する。図２は、本発明の実施例に係る親局記憶部１５内の通報情報テーブル５０の構成例を示す図である。図２に示すように、通報情報テーブル５０には、１つの通報情報に関し、通報期間５１と、開始時刻５２と、通報内容５３と、通報対象５４とが記憶されている。これらの情報は、操作卓１６から操作者により入力されることができる。通報期間５１には、例えば、毎日、あるいは指定曜日等の通報期間が設定されている。開始時刻５２には、通報期間５１の範囲内において、通報内容情報を通報する開始時刻が設定されている。通報内容情報である通報内容５３には、子局２０に通報する内容が設定されている。通報内容５３は、文字情報であってもよいし、音声情報であってもよい。通報対象５４には、通報対象である子局２０の種別、例えば屋外子局か、あるいは個別受信機か等が設定されている。
【００１６】
図２においては、３つの通報情報（Ｎｏ.１、２、３）について、それぞれ、通報期間５１と、開始時刻５２と、通報内容５３と、通報対象５４とが記憶されている。Ｎｏ.１の通報情報は、通報期間５１が毎日、開始時刻５２が１１時３０分、通報内容５３がａａａ、通報対象５４がＡである。つまり、Ｎｏ.１の通報情報は、毎日、１１時３０分に、ａａａがＡに対して通報されるものである。Ｎｏ.２の通報情報は、通報期間５１が月曜日、開始時刻５２が８時、通報内容５３がｂｂｂ、通報対象５４がＢである。つまり、Ｎｏ.２の通報情報は、毎月曜日、８時に、ｂｂｂがＢに対して通報されるものである。
【００１７】
次に、本発明の実施例に係る自動通報処理のシーケンスの１例について、図３を用いて説明する。図３は、本発明の実施例に係る自動通報処理のシーケンスの１例を示す図である。
図３において、３１は、システム時刻修正前の時間軸、３２は、通報開始を指定する通報開始時刻、３３は、自動通報される通報内容情報である。また、３４は、システム時刻修正後の時間軸、３５は、通報開始を指定する通報開始時刻、３６は、自動通報される通報内容情報である。図３の例では、システム時刻修正前の時間軸３１において、通報開始時刻３２である１１時３０分に、自動通報３３が行われた後、１２時過ぎに、システム時刻が１１時に修正されている。しかし、システム時刻修正後の時間軸３４において、通報開始時刻３５である１１時３０分になっても、自動通報３３と同一内容の自動通報３６は再送されない。
【００１８】
このとき、親局制御部１１は、次のように動作する。まず、システム時刻修正前において、自動送出部１２が、システム日時情報と、親局記憶部１５に記憶された通報日時情報、すなわち、通報情報テーブル５０の通報期間５１と開始時刻５２とに基づき、通報内容情報である通報内容５３と、通報対象５４とを読み出し、通報内容５３を子局通報情報として設定する。例えば、システム日時情報が２００９年１０月２１日１１時３０分より少し前の時点において、自動送出部１２が、図２の例における通報情報テーブル５０のＮｏ.１の通報情報の、通報期間５１が毎日、開始時刻５２が１１時３０分に基づき、通報内容５３としてａａａ、通報対象５４としてＡを読み出し、通報内容５３のａａａを子局通報情報として設定する。システム日時情報と通報日時情報は、必要に応じ、年、月、日、時、分、秒のうち、任意のものを選択して用いることができる。
次に、通報済判断部１３が、前記子局通報情報として設定された通報内容５３が子局２０へ通報済みであるか否かを判断する。例えば、親局記憶部１５に格納された最終通報日（子局２０へ最後に通報を行った年月日）、例えば２００９年１０月２０日と、システム日時情報（２００９年１０月２１日）とを比較し、システム日時情報の日付が最終通報日を超えている（システム日時情報の日付が最終通報日よりも先である）ので、前記子局通報情報として設定された通報内容５３が子局２０へ通報済みでないと判断する。そうすると、前記自動送出部１２が、通報内容５３（ａａａ）を自動的に親局送受信部１８へ送出するとともに、前記通報済記録部１４が、最終通報日（２００９年１０月２１日）を記憶部１５に格納する、つまり、当該通報内容５３が通報済みであることを記録する。親局送受信部１８は、受け取った子局通報情報である通報内容５３（ａａａ）を、通報対象Ａの子局２０へ送信する。
【００１９】
その後、システム時刻修正前の時刻１２時過ぎにおいて、システム時刻が校正され、１１時に修正される。
次に、システム時刻修正後において、例えば、自動送出部１２が、図２の例における通報情報テーブル５０のＮｏ.１の通報情報の、通報期間５１が毎日、開始時刻５２が１１時３０分に基づき、通報内容５３としてａａａ、通報対象５４としてＡを読み出し、通報内容５３のａａａを子局通報情報として設定する。次に、通報済判断部１３が、記憶部１５に格納された最終通報日（２００９年１０月２１日）と、システム日時情報（２００９年１０月２１日）とを比較し、システム日時情報の日付が最終通報日と同じであるので、子局通報情報として設定された通報内容５３（ａａａ）が子局２０へ通報済みであると判断する。そうすると、前記自動送出部１２は、通報内容５３（ａａａ）を親局送受信部１８へ送出しない。したがって、通報内容５３（ａａａ）は、子局２０へ再送されない。
以上により、システム時刻の修正により時刻が戻された場合も、親局から子局へ通報済みである通報内容情報を、誤って再送することを防止することができる。
【００２０】
なお、上記実施例では、通報済記録部１４は、通報内容情報が子局２０へ通報されたときに該通報内容情報が通報済みであることを親局記憶部１５に記録する手段として、子局２０へ最後に通報を行った年月日である最終通報日を、通報が完了した時点で、親局記憶部１５に格納するようにしたが、図２の通報情報テーブル５０のＮｏ.１〜３の例のように、１日の通報回数が１回のような場合は、各通報情報毎（各通報Ｎｏ.毎）にカレンダーを親局記憶部１５に設け、該カレンダーに、通報済みであることを示すフラグを立てるようにしてもよい。
また、本発明は、本発明に係る処理を実行するシステムとしてだけでなく、装置、方法として、或いは、このような方法やシステムを実現するためのプログラムや当該プログラムを記録する記録媒体などとして把握することができる。
また、本発明は、ＣＰＵがメモリに格納された制御プログラムを実行することにより制御する構成としてもよく、また、ハードウエア回路として構成してもよい。
【００２１】
本明細書には、次の発明が含まれる。
第１の発明は、
親局から受信した通報内容情報を出力可能な子局と、無線により子局と接続される親局とを備えた無線通信システムであって、
親局は、子局へ通報する通報内容情報と通報日時情報とを記憶する親局記憶部と、通報内容情報を子局へ送信する親局送受信部と、当該無線通信システムで用いるシステム日時情報を生成する時計部と、親局制御部とを備え、
該親局制御部は、自動送出部と、通報済判断部と、通報済記録部とを備え、
前記自動送出部が、前記親局記憶部に記憶された通報日時情報と前記時計部が生成するシステム日時情報とに基づき、前記親局記憶部に記憶された通報内容情報を子局への通報内容情報である子局通報情報として設定し、前記通報済判断部が、前記子局通報情報として設定された通報内容情報が子局へ通報済みであるか否かを判断し、子局へ通報済みでない場合は、前記自動送出部が、前記子局通報情報を自動的に親局送受信部へ送出するとともに、前記通報済記録部が、該子局通報情報として設定された通報内容情報が通報済みであることを記録し、子局へ通報済みである場合は、前記自動送出部が、前記子局通報情報を親局送受信部へ送出しないものであり、
前記子局は、親局から子局通報情報として送信された通報内容情報を受信する子局送受信部と、該受信した通報内容情報に基づき表示信号を作成する子局制御部と、該作成した表示信号を表示する表示部とを備え、親局から送信された通報内容情報を表示することを特徴とする無線通信システム。
このように構成すると、システム時刻の修正により時刻が戻された場合も、親局から子局へ通報済みである通報内容情報を、誤って再送することを防止することができる。
【００２２】
第２の発明は、
前記第１の発明に記載の無線通信システムであって、
前記通報済記録部が、子局に対し最後に通報内容情報を送出した最終通報日を記録するものであり、前記通報済判断部が、該記録された最終通報日と、前記時計部が生成するシステム日時情報とを比較し、システム日時情報が前記記録された最終通報日よりも先の日時である場合は、前記読み出された通報内容情報が子局へ通報済みでないと判断し、システム日時情報が前記記録された最終通報日よりも先の日時でない場合は、前記読み出された通報内容情報が子局へ通報済みであると判断することを特徴とする無線通信システム。
このように構成すると、子局に対し最後に通報内容情報を送出した最終通報日を記録することにより、親局のシステム時刻の修正により時刻が戻された場合も、子局へ通報済みである通報内容情報を、誤って再送することを防止することができる。
【符号の説明】
【００２３】
１０・・親局、１１・・親局制御部、１２・・自動送出部、１３・・通報済判断部、１４・・通報済記録部、１５・・親局記憶部、１６・・操作卓、１７・・時計部、１８・・親局送受信部、２０・・子局、２１・・子局送受信部、２２・・子局制御部、２３・・表示部、５０・・通報情報テーブル。
【図１】
2011124762.tif 000003
【図２】
2011124762.tif 000004
【図３】
2011124762.tif 000005
【図４】
2011124762.tif 000006